(57)【要約】【課題】第１キャビネットと第２キャビネットとを確実に固定しながらできるだけ大きなバッテリを収容できるようにする。【解決手段】第１キャビネット３に一体成形した板金８から第２キャビネット４側へバッテリ固定部１０を突設し、板金８の第２キャビネット４側に配置したバッテリ６に取り付けた剛性フレーム１１とバッテリ固定部１０とを係合すると共に、バッテリ固定部１０を第２キャビネット４にも係合させる。【選択図】図１
2014007515.tif 000002
【特許請求の範囲】
【請求項１】
第１キャビネットと第２キャビネットとを有し、該第１キャビネットと該第２キャビネットとの内部にバッテリが収容される携帯端末において、
上記第１キャビネットには、板金が一体成形され、該板金から上記第２キャビネット側へ突出するバッテリ固定部が形成され、
上記バッテリは、上記板金の上記第２キャビネット側に配置され、該バッテリに取り付けた剛性フレームと、上記バッテリ固定部とが係合されており、
上記バッテリ固定部が上記第２キャビネットにも係合している
ことを特徴とする携帯端末。
【請求項２】
請求項１に記載の携帯端末において、
上記バッテリ固定部は、上記板金とは、厚さ及び材質の少なくとも一方が異なる金属で構成されている
ことを特徴とする携帯端末。
【請求項３】
請求項１又は２に記載の携帯端末において、
上記第１キャビネットと上記第２キャビネットとは、矩形板状であり、
上記バッテリ固定部は、上記第１キャビネットの長手方向中間に幅方向に間隔をあけて配置され、
上記剛性フレームは、上記バッテリの上記第２キャビネットの反対側に幅方向に帯状に設けられている
ことを特徴とする携帯端末。
【請求項４】
請求項３に記載の携帯端末において、
上記第１キャビネットには、表示部が収容され、
上記第２キャビネットには、メイン基板が収容され、
上記バッテリは、上記表示部と上記メイン基板との間に収容されている
ことを特徴とする携帯端末。
【請求項５】
請求項４に記載の携帯端末において、
上記剛性フレームは、導電材料よりなり、上記バッテリ固定部を介して上記板金に導通することにより、上記メイン基板のアースの役割を果たしている
ことを特徴とする携帯端末。
【発明の詳細な説明】
【技術分野】
【０００１】
本発明は、携帯電話機などの携帯端末に関し、特にその筐体の構造に関する。
【背景技術】
【０００２】
従来より、携帯端末の筐体は、第１キャビネットと第２キャビネットとを有し、これらのキャビネット内に液晶ディスプレイ、バッテリ、基板等が内蔵されることが知られている。
【０００３】
例えば、特許文献１の小型電子機器では、フロントキャビネットと、バックキャビネットとの間にシャーシ、メイン基板を嵌め込んで６本のネジを小型電子機器の厚さ方向にねじ込んで締結している。
【先行技術文献】
【特許文献】
【０００４】
【特許文献１】特開２０１０−５６８１０号公報
【発明の概要】
【発明が解決しようとする課題】
【０００５】
しかしながら、上記特許文献１のような携帯端末では、６箇所にネジを締結するためのボスを設けなければならず、特に上下中央付近にボス部があるために、その部分にバッテリを配置しようとすると、バッテリの幅が制限されるという問題があった。
【０００６】
本発明は、かかる点に鑑みてなされたものであり、その目的とするところは、第１キャビネットと第２キャビネットとを確実に固定しながらできるだけ大きなバッテリを収容できるようにすることにある。
【課題を解決するための手段】
【０００７】
上記の目的を達成するために、この発明では、バッテリに剛性フレームを設け、この剛性フレームと板金とを連結するようにした。
【０００８】
具体的には、第１の発明では、
第１キャビネットと第２キャビネットとを有し、該第１キャビネットと該第２キャビネットとの内部にバッテリが収容される携帯端末を前提とする。
【０００９】
そして、上記携帯端末において、
上記第１キャビネットには、板金が一体成形され、該板金から上記第２キャビネット側へ突出するバッテリ固定部が形成され、
上記バッテリは、上記板金の上記第２キャビネット側に配置され、該バッテリに取り付けた剛性フレームと、上記バッテリ固定部とが係合されており、
上記バッテリ固定部が上記第２キャビネットにも係合している。
【００１０】
すなわち、従来のようにボス部に厚さ方向にネジをねじ込んで締結する構造であると、ボス部の外径分だけスペースを必要とするが、上記の構成によると、ボス部を設けなくても、板金に設けたバッテリ固定部をバッテリに設けた剛性フレームと、第２キャビネットとに係合させることで、第１キャビネットと第２キャビネットとが確実に結合される。このため、バッテリの幅を大きくとることができる。また、質量の大きいバッテリ自体に剛性フレームを設け、この剛性フレームを板金に連結しているので、携帯端末の落下時などにバッテリに力が加わってもバッテリが動くことはない。
【００１１】
第２の発明では、第１の発明において、
上記バッテリ固定部は、上記板金とは、厚さ及び材質の少なくとも一方が異なる金属で構成されている。
【００１２】
すなわち、板金は、携帯端末の厚さを抑えると共に、質量を抑えるためにできるだけ薄くする傾向にあるが、上記の構成によると、この板金よりも剛性の高いバッテリ固定部が設けられるので、質量の大きいバッテリを確実に支持することができる。
【００１３】
第３の発明では、第１又は第２の発明において、
上記第１キャビネットと上記第２キャビネットとは、矩形板状であり、
上記バッテリ固定部は、上記第１キャビネットの長手方向中間に幅方向に間隔をあけて配置され、
上記剛性フレームは、上記バッテリの上記第２キャビネットの反対側に幅方向に帯状に設けられている。
【００１４】
上記の構成によると、長手方向中間の曲げ又はねじり応力がかかりやすい部分において、剛性の高い剛性フレームで幅方向を繋ぐことで曲げ及びねじりに対する強度が格段に向上する。
【００１５】
第４の発明では、第３の発明において、
上記第１キャビネットには、表示部が収容され、
上記第２キャビネットには、メイン基板が収容され、
上記バッテリは、上記表示部と上記メイン基板との間に収容されている。
【００１６】
すなわち、第１及び第２キャビネットが厚さ方向に丸みのある形状を有する場合、携帯端末の厚さ方向中間が最も幅方向のスペースが広くなるが、上記の構成によると、バッテリを最も幅方向のスペースが広くなる厚さ方向中間において剛性フレームで第１キャビネットと第２キャビネットとを接合しているので、従来よりも幅の広いバッテリを配置できる。
【００１７】
第５の発明では、第４の発明において、
上記剛性フレームは、導電材料よりなり、上記バッテリ固定部を介して上記板金に導通することにより、上記メイン基板のアースの役割を果たしている。
【００１８】
上記の構成によると、剛性フレームを板金へのアース用の部品とすることで、別途アース用の部品を設ける必要がなくなる。
【発明の効果】
【００１９】
以上説明したように、本発明によれば、第１キャビネットに一体成形した板金から第２キャビネット側へ突出するバッテリ固定部を、バッテリに取り付けた剛性フレームと、第２キャビネットとに係合させたことにより、ボス部を設けるスペースが不要となり、第１キャビネットと第２キャビネットとを確実に固定しながらできるだけ大きなバッテリを収容できる。
【図面の簡単な説明】
【００２０】
【図１】図２のＩ−Ｉ線拡大断面図である。
【図２】本発明の実施形態に係る携帯電話機を示す斜視図である。
【図３】携帯電話機を正面側から見た分解斜視図である。
【図４】携帯電話機を背面側から見た分解斜視図である。
【図５】図２のＶ−Ｖ線拡大断面図である。
【図６】バッテリ及び剛性フレームを拡大して示す斜視図である。
【図７】第２キャビネットの係合部を示す拡大斜視図である。
【図８】第１キャビネットの板金を示す斜視図である。
【発明を実施するための形態】
【００２１】
以下、本発明の実施形態を図面に基づいて説明する。
【００２２】
図１〜図４は、本発明の実施形態の携帯端末としての携帯電話機１（スマートフォン）を示し、この携帯電話機１は、表示部２を有する正面側の第１キャビネット３と、この第１キャビネット３の背面側を覆う第２キャビネット４とを有し、この第２キャビネット４の背面側がリアカバー５で覆われている。
【００２３】
第１キャビネット３と第２キャビネット４とリアカバー５とで形成される空間には、バッテリ６、メイン基板７等が収容されている。具体的には、第１キャビネット３は、図８に示すステンレス薄板などよりなる板金８がインサート成形されている。図１に示すように、表示部２は、この板金８の正面側に配置され、液晶ディスプレイ、タッチパネル等を含み、第１キャビネット３の枠状のディスプレイ収容凹部３ａに両面テープ３ｂ等により、貼り付けられている。
【００２４】
図３及び図４に示すように、第１キャビネット３の上下端部には、左右に間隔をあけて合計４つのネジ穴３ｃが形成されている。第２キャビネット４は、枠状の例えば樹脂成形品よりなり、上下端部に上記ネジ穴３ｃに対応させて合計４つのボス部４ａが形成されている。このボス部４ａにネジ９を挿通してネジ穴３ｃに締結するようになっている。
【００２５】
そして、図４及び図８に拡大して示すように、板金８の長手方向中央には、左右に間隔をあけて一対のバッテリ固定部１０が第２キャビネット４側へ突設されている。バッテリ固定部１０は、板金８とは、厚さ及び材質の少なくとも一方が異なる金属で構成されている。例えば、板金８を厚さ０．１ｍｍのステンレス鋼板で構成し、バッテリ固定部１０を厚さ０．３ｍｍのステンレス鋼板で構成すればよい。又はバッテリ固定部１０をより剛性の高い別の材料で構成してもよい。バッテリ固定部１０は、図１及び図５にも示すように、断面Ｌ字状の上下方向に延びる部材よりなり、中央に第２キャビネット４を固定するためのキャビネット係合孔１０ａが形成され、その上下両側にバッテリ６を固定するためのバッテリ係合孔１０ｂが一対形成され、板金８に溶接等により固定されている。なお、板金８をマグネシウム合金等で構成する場合には、板厚の厚いバッテリ固定部１０を一体成形すればよい。
【００２６】
一方、図４及び図６に示すように、矩形板状のバッテリ６は、板金８の第２キャビネット４側に配置され、その第２キャビネット４の反対側に剛性フレーム１１が幅方向に帯状に設けられている。剛性フレーム１１は、導電性の金属であればよく、例えばステンレス鋼板で構成され、両面テープ等により、バッテリ６の背面及び左右側面に接着されている剛性フレーム１１の左右端部のバッテリ係合孔１０ｂに対応する位置には、上下一対のバッテリ係合部１１ａが左右外側に向けて突設されている。例えば、このバッテリ係合部１１ａは、プレス加工で押出成形されている。
【００２７】
さらに、図７に示すように、樹脂成形品等よりなる第２キャビネット４のキャビネット係合孔１０ａに対応する上下中央部内面には、キャビネット係合部４ｂが左右内側に向けて突設されている。キャビネット係合部４ｂは、第２キャビネット４の成形時に一体成形すればよい。
【００２８】
このように構成することで、携帯電話機１の組立状態では、図１に示すように、キャビネット係合部４ｂがキャビネット係合孔１０ａに係合することにより、バッテリ固定部１０を介して第１キャビネット３の上下中間部と第２キャビネット４の上下中間部とが結合されている。そして、図５に示すように、バッテリ係合部１１ａがバッテリ係合孔１０ｂに係合することにより、バッテリ６が板金８及び第２キャビネット４に支持されている。
【００２９】
図１に示すように、第１キャビネット３及び第２キャビネット４（リアカバー５）が厚さ方向に丸みのある形状を有する場合、携帯電話機１の厚さ方向中間が最も幅方向のスペースが広くなる。そして、第２キャビネット４側へ突出するように設けたバッテリ固定部１０に剛性フレーム１１を係合するようにしているので、第１キャビネット３側の板金８近傍の空間にまでバッテリ６を収容することができる。このため、バッテリ６は、最も幅方向のスペースが広くなる厚さ方向中間に配置されている。
【００３０】
そして、従来のようにボス部に厚さ方向にネジをねじ込んで締結する構造であると、ボス部の外径分だけスペースを必要とするが、本実施形態では、ボス部を設けなくても、バッテリ固定部１０がバッテリ６に設けた剛性フレーム１１と第２キャビネット４とに係合することで、第１キャビネット３と第２キャビネット４とが確実に結合される。このため、バッテリ６の幅を大きくとることができる。
【００３１】
また、携帯電話機１の長手方向中間の曲げ又はねじり応力がかかりやすい部分において、剛性の高い剛性フレーム１１で幅方向を繋ぐことで曲げ及びねじりに対する強度が格段に向上している。
【００３２】
さらに、近年リチウムイオンポリマーバッテリが用いられるようになってきているが、このようなバッテリは、それ自身の剛性がそれほど高くない。しかし、本実施形態では、質量の大きいバッテリ６自体に剛性フレーム１１を設け、この剛性フレーム１１を板金８に連結しているので、携帯電話機１の落下時などにバッテリ６に力が加わってもバッテリ６が動いて近くにあるメイン基板７を損傷させることはない。
【００３３】
また、板金８は、携帯電話機１の厚さを抑えると共に、質量を抑えるためにできるだけ薄くする傾向にあるが、本実施形態では、バッテリ固定部１０の肉厚を板金８よりも厚くして剛性を上げて板金８よりも剛性を高くしているので、質量の大きいバッテリ６を確実に支持することができる。
【００３４】
さらに、導電材料よりなる剛性フレーム１１がバッテリ固定部１０を介して板金８に導通しているので、剛性フレーム１１がメイン基板７のアースの役割を果たしている。このため、別途アース用の部品を設ける必要がなくなる。
【００３５】
したがって、本実施形態に係る携帯電話機１によると、第１キャビネット３に一体成形した板金８から第２キャビネット４側へ突出するバッテリ固定部１０をバッテリ６に取り付けた剛性フレーム１１と第２キャビネット４とに係合したことにより、ボス部を設けるスペースが不要となり、第１キャビネット３と第２キャビネット４とを確実に固定しながらできるだけ大きなバッテリ６を収容できる。
【００３６】
（その他の実施形態）
本発明は、上記実施形態について、以下のような構成としてもよい。
【００３７】
すなわち、上記実施形態では、バッテリ固定部１０に１つのキャビネット係合孔１０ａと２つのバッテリ係合孔１０ｂとを設けたが、その数は限定されず、逆にバッテリ固定部１０側に突起を設けてバッテリ固定部１０の孔や第２キャビネット４の孔に係合するようにしてもよい。
【００３８】
上記実施形態では、携帯端末は、スマートフォンを含む携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００３９】
なお、以上の実施形態は、本質的に好ましい例示であって、本発明、その適用物や用途の範囲を制限することを意図するものではない。
【産業上の利用可能性】
【００４０】
以上説明したように、本発明は、突き合わせる一対のキャビネット内にバッテリを有する携帯電話機などの携帯端末について有用である。
【符号の説明】
【００４１】
１      携帯電話機（携帯端末）
２      表示部
３      第１キャビネット
３ａ    ディスプレイ収容凹部
３ｂ    両面テープ
３ｃ    ネジ穴
４      第２キャビネット
４ａ    ボス部
４ｂ    キャビネット係合部
５      リアカバー
６      バッテリ
７      メイン基板
８      板金
９      ネジ
１０      バッテリ固定部
１０ａ    キャビネット係合孔
１０ｂ    バッテリ係合孔
１１      剛性フレーム
１１ａ    バッテリ係合部
【図１】
2014007515.tif 000003
【図５】
2014007515.tif 000004
【図６】
2014007515.tif 000005
【図７】
2014007515.tif 000006
【図８】
2014007515.tif 000007
【図２】
2014007515.tif 000008
【図３】
2014007515.tif 000009
【図４】
2014007515.tif 000010